(57)【要約】  ドアクローザ（３）のハウジング（２）に用いられるエンドキャップ（１）であって、キャップハウジング（４）と固定装置（５，５′）とが設けられており、この固定装置（５，５′）が、キャップハウジング（４）に配置されており、この場合、このキャップハウジング（４）が、凸状に湾曲させられた端壁（６）を有している。
2007527476.tif 000002
【特許請求の範囲】
【請求項１】
ドアクローザ（３）のハウジング（２）に用いられるエンドキャップ（１）であって、
−キャップハウジング（４）と、
−該キャップハウジング（４）に配置された固定装置（５，５′）と
が設けられている形式のものにおいて、
−キャップハウジング（４）が、凸状に湾曲させられた端壁（６）と、
−凸状に湾曲させられた側壁（７，８）と、
−平らに形成された覆い壁（９）とを有している
ことを特徴とする、ドアクローザのハウジングに用いられるエンドキャップ。
【請求項２】
固定装置（５）が、差込み結合体として形成されている、請求項１記載のエンドキャップ。
【請求項３】
固定装置（５）が、キャップハウジング（４）の内室（１０）に突出した差込みフランジ（１１，１１′）を有している、請求項２記載のエンドキャップ。
【請求項４】
差込みフランジ（１１）が、覆い壁（９）に一体に結合されている、請求項３記載のエンドキャップ。
【請求項５】
差込みフランジ（１１′）が、端壁（６）に一体にその中間領域で結合されている、請求項３記載のエンドキャップ。
【請求項６】
差込みフランジ（１１′′）が、当付け区分（１２）に一体に形成されており、該当付け区分（１２）が、端壁（６）と覆い壁（９）との間の移行領域（１３）に配置されている、請求項３記載のエンドキャップ。
【請求項７】
固定装置（５′）が、少なくとも１つの接着面（１４，１５）を有している、請求項１記載のエンドキャップ。
【請求項８】
接着面（１４，１５）が、端壁（６）と覆い壁（９）との間の移行区分（１６）に配置されている、請求項７記載のエンドキャップ。
【請求項９】
ドアクローザ（３）であって、ハウジング（２）が設けられており、該ハウジング（２）が、端部側にそれぞれ１つのエンドキャップ（１）を備えており、該エンドキャップ（１）が、キャップハウジング（４）と固定装置（５，５′）とを有しており、該固定装置（５，５′）が、キャップハウジング（４）に配置されている形式のものにおいて、請求項１から８までのいずれか１項記載の特徴が設けられていることを特徴とする、ドアクローザ。
【請求項１０】
ハウジング（２）が、エンドキャップ（１）への移行部の領域に、その外側輪郭（２３）におけるずれ部を有しており、該ずれ部の対応面（２０）が、覆い壁（９）によってカバーされるようになっている、請求項９記載のドアクローザ。
【発明の詳細な説明】
【技術分野】
【０００１】
本発明は、請求項１の上位概念部に記載した形式の、ドアクローザのハウジングに用いられるエンドキャップに関する。
【０００２】
請求項１の上位概念部に相当するエンドキャップは、プレート状のキャップハウジングを有している。このキャップハウジングは扁平に形成されていて、ドアクローザのハウジングの、開放した端面に取り付けられる。なぜならば、このようなハウジングは、通常、方形の横断面を有しているからである。
【０００３】
しかし、このような構成はその構造において比較的不格好であり、したがって、視覚的な理由から、よりエレガントなドア構成において不利である。
【０００４】
したがって、本発明の課題は、請求項１の上位概念部に記載した形式のエンドキャップを改良して、エンドキャップのキャップハウジングによって、ドアクローザのハウジングの、視覚的に好印象の構造が可能となるようにすることである。
【０００５】
この課題の解決は、請求項１の特徴によって行われる。
【０００６】
これに基づき、ドアクローザの、本発明によるエンドキャップを備えたハウジングが、全体的に、従来のものよりもスリムでエレガントな構造を示すという利点が得られる。この構造は、多数のドア構成において視覚的に有利に使用することができる。
【０００７】
従属請求項には、本発明の有利な構成が記載してある。
【０００８】
以下に、本発明の構成を図面につき説明する。
【０００９】
図１によれば、ドアクローザ３が示してある。このドアクローザ３はハウジング２を有している。図１から明らかであるように、ドアクローザ３のハウジング２は端部側にそれぞれ１つのエンドキャップ１を備えている。この場合、図１および図２の一覧から明らかであるように、このエンドキャップ１は適切にドアクローザ３のハウジング２に結合される。このことを以下に詳しく説明する。
【００１０】
以下に、本発明によるエンドキャップ１の第１の実施例を図３〜図５につき詳しく説明する。
【００１１】
エンドキャップ１はキャップハウジング４を有している。このキャップハウジング４は、図４によれば、固定装置５を備えている。
【００１２】
この場合、図３〜図５から明らかであるように、キャップハウジング４は、凸状に湾曲させられた端壁６を有している。
【００１３】
さらに、図４から明らかであるように、キャップハウジング４は、図示の構成では、さらに、凸状に湾曲させられた２つの側壁７，８を有している。図３〜図５の一覧に示したように、前述した壁のこの凸状の構成によって、キャップハウジング４の極めてエレガントでスリムな構成が得られる。
【００１４】
図３〜図５に示した構成では、キャップハウジング４が、さらに、上方に配置された、平らに形成された覆い壁９を有している。この覆い壁９は端壁６と側壁７，８とに一体に結合されている。これに基づき、キャップハウジング４の、特に簡単に製作することができる構成が得られる。
【００１５】
さらに、図４および図５から明らかであるように、固定装置５は、実例の事例では、差込み結合体として形成されている。このためには、固定装置５が、図３〜図５に示した構成では、差込みフランジ１１を有している。この差込みフランジ１１は、覆い壁９から出発して、キャップハウジングの内室１０に突出していて、内側輪郭Ｉを有している。この内側輪郭Ｉの形状は、ドアクローザ３のハウジング２の相応の対応面に適合されている。内側輪郭Ｉを開示するために、この内側輪郭Ｉは、図４に明瞭に示してある。この場合、図４および図５から明らかであるように、差込みフランジ１１は、図示の構成では、覆い壁９に一体に結合されている。
【００１６】
図６には、どのようにして図２の左側のエンドキャップ１がハウジング２に固定されるのかを明らかにするために、この構成の拡大図が示してある。この場合、図６に示したように、ハウジング２の開口には閉鎖ねじ１７が設けられている。この閉鎖ねじ１７は保持スリット１８を有している。この保持スリット１８内には、エンドキャップ１の固定装置５の差込みフランジ１１が係合している。これによって、エンドキャップ１がハウジング２に、紛失に対して安全に位置固定されており、また、エンドキャップ１をハウジング２から取り外すこともできる。
【００１７】
さらに、図６および図７から明らかであるように、面１９の領域には、対応面２０が設けられている。この対応面２０は、少なくともエンドキャップ１の覆い壁９の壁厚さの分だけハウジング２の外側輪郭２３に対して引っ込んでいる。ハウジング２の外側のハウジング輪郭におけるこのずれによって、ハウジング２とエンドキャップ１との間になだらかな移行が付与されることが達成される。したがって、エンドキャップ１とハウジング始端部２との間の移行領域における突出した突合せ縁部が回避される。同時に、ハウジング２だけでなくエンドキャップ１の製造誤差も補償するために、有効な誤差補償が付与されている。さらに、エンドキャップ１とハウジング２との間の可視のギャップが回避される。
【００１８】
図７には、図２に示した右側のエンドキャップの拡大図が示してある。この構成は択一的な固定装置５′を有している。この固定装置５′は、覆い壁９の下面に接着面１９として形成されている。この接着面１９は適切な接着剤によってハウジング２の相応の対応面２０に接着される。このことは、概略的に簡単に示した図７から明らかである。
【００１９】
図８〜図１２には、エンドキャップ１の別の構成が示してある。この構成は、固定装置５；５′の構造に対する択一性を含んでいる。
【００２０】
この場合、図８〜図１０には、固定装置５′が示してある。この固定装置５′は、図８の事例では、内側のただ１つの接着面１４を覆い壁９に有している。この図面は、図７にほぼ相当している。
【００２１】
図９および図１０では、固定装置５′が設けられている。この固定装置５′は２つの接着面１４，１５を有している。両接着面１４，１５は互いにほぼ直角を成して配置されている。図９に示した構成では、接着面１４が覆い壁９の内面に配置されており、接着面１５が端壁６と覆い壁９との間の移行区分１６に配置されている。この場合、この移行区分１６は、端壁６の、肉厚にされた壁領域として形成されている。
【００２２】
図１０に示した構成では、接着面１４がやはり覆い壁９の内面に配置されており、接着面１５はウェブ２１に配置されている。このウェブ２１は接着面１４に対して直角を成して延びていて、端壁６の上側の端領域に一体に結合されている。
【００２３】
図１１では、固定装置５がやはり差込み結合体の形で設けられている。この構成では、差込みフランジ１１′′が覆い壁６の当付け区分１２に一体に配置されている。この場合、この当付け区分１２は端壁６と覆い壁９との間の移行領域１３に配置されている。
【００２４】
図１２の構成では、固定装置５が同じく差込み結合体として形成されている。この場合、差込みフランジ１１′が設けられている。この差込みフランジ１１′は覆い壁６の内面に一体にその中間領域で配置されている。図１２から明らかであるように、差込みフランジ１１′は内室１０に突出していて、図１２に破線で示した導入開口２２に係合することができる。
【図面の簡単な説明】
【００２５】
【図１】端部側にそれぞれ本発明によるエンドキャップを備えたハウジングを有するドアクローザの簡単な斜視図である。
【図２】図１に示したドアクローザの断面図である。
【図３】本発明によるエンドキャップの第１の構成の側面図である。
【図４】図１に示したエンドキャップのキャップハウジングの内面図である。
【図５】図３および図４に示したエンドキャップの断面図である。
【図６】組み付けられたエンドキャップを備えた、図１に示したドアクローザの端領域の断面図である。
【図７】本発明によるエンドキャップの択一的な構成を備えたドアクローザの、図６に相応の図である。
【図８】本発明によるエンドキャップの別の構成の、図６および図７に相応の図である。
【図９】本発明によるエンドキャップの別の構成の、図６および図７に相応の図である。
【図１０】本発明によるエンドキャップの別の構成の、図６および図７に相応の図である。
【図１１】本発明によるエンドキャップの別の構成の、図６および図７に相応の図である。
【図１２】本発明によるエンドキャップの別の構成の、図６および図７に相応の図である。
【符号の説明】
【００２６】
１  エンドキャップ、  ２  ハウジング、  ３  ドアクローザ、  ４  キャップハウジング、  ５，５′  固定装置、  ６  端壁、  ７，８  側壁、  ９  覆い壁、  １０  内室、  １１，１１′，１１′′  差込みフランジ、  １２  当付け区分、  １３  移行領域、  １４，１５  接着面、  １６  移行区分、  １７  閉鎖ねじ、  １８  保持スリット、  １９  接着面、  ２０  対応面、  ２１  ウェブ、  ２２  導入開口、  ２３  外側輪郭、  Ｉ  内側輪郭
【図１】
2007527476.tif 000003
【図２】
2007527476.tif 000004
【図３】
2007527476.tif 000005
【図４】
2007527476.tif 000006
【図５】
2007527476.tif 000007
【図６】
2007527476.tif 000008
【図７】
2007527476.tif 000009
【図８】
2007527476.tif 000010
【図９】
2007527476.tif 000011
【図１０】
2007527476.tif 000012
【図１１】
2007527476.tif 000013
【図１２】
2007527476.tif 000014
【国際調査報告】
2007527476.tif 000015
2007527476.tif 000016
2007527476.tif 000017
2007527476.tif 000018
2007527476.tif 000019
2007527476.tif 000020